(57)【要約】【課題】この発明は、船舶や海洋構造物のバラストタンク内でサクションマウスベル近傍の腐食を効果的に防止することができるバラストタンク腐食防止部材およびサクションマウスベルを提供することを目的とする。【解決手段】この発明のバラストタンク腐食防止部材８，１６は、給排水装置２，３の先端部への取り付け部材１０，１７と、陽極部材１０、１８を有するものであり、低電位である陽極部材１０、１８より高電位であるバラストタンク１の内壁の鋼材へ向かって電解液である海水中を電流が流れ、高電位側の船底は防食状態となって安定し、サクションベルマウス２に近い船底部の腐食が効果的に防止される。【選択図】図１
2007314027.tif 000002
【特許請求の範囲】
【請求項１】
給排水装置の先端部への取り付け部材と、陽極部材を有するバラストタンク腐食防止部材。
【請求項２】
給排水装置の先端部への取り付け部材が給排水パイプへ取り付けるＵバンドである請求項１に記載のバラストタンク腐食防止部材。
【請求項３】
給排水装置の先端部への取り付け部材がサクションベルマウスのフランジ部へ取り付ける接続部材である請求項１に記載のバラストタンク腐食防止部材。
【請求項４】
サクションベルマウスのリブ先端に取り付ける絶縁部材を有する請求項２または請求項３に記載のバラストタンク腐食防止部材。
【請求項５】
陽極部材が亜鉛である請求項１ないし請求項４のいずれかに記載のバラストタンク腐食防止部材。
【請求項６】
フランジ部に亜鉛製の陽極部材が設けられており、リブ先端に絶縁部材が設けられているサクションベルマウス。
【発明の詳細な説明】
【技術分野】
【０００１】
この発明は、船舶や海洋構造物のバラストタンク内の腐食の防止に関するものである。
【背景技術】
【０００２】
船舶や海洋構造物のバラストタンクは海水にさらされており、腐食（錆び）が発生しやすい。そのため、腐食を防止するための対策が必要となる。特許文献１にはバラストタンク内に窒素ガスを供給して酸素濃度を２％以下に保つことが記載されている。特許文献２にはバラストタンク内空間部の湿潤空気を乾燥空気と置換して水分を除去するとともに温度管理をすることが記載されている。
【０００３】
また、非特許文献１には、バラストタンク内に亜鉛等の陽極を設けて防食電流を供給し、バラストタンクの腐食を防止することが記載されている。
【特許文献１】特開２００２−２３４４８７号
【特許文献２】特開平８−２１６９７９５号
【非特許文献１】住鉱防蝕株式会社会社案内
【発明の開示】
【発明が解決しようとする課題】
【０００４】
特許文献１および特許文献２に記載の方法は理論的には防食に効果があるかもしれないが、バラストタンクは容積が大きく、しかも排水・給水が頻繁に行われもことより、このような方法を実施することはコストがかかり、実用的ではない。
【０００５】
非特許文献１の防食方法は有効なものであり、船舶においても使用されている。この方法は、バラストタンク全体を一様に保護しようとするものである。しかし、バラストタンク内の鋼板は全体が一様に腐食するわけではない。サクションマウスベルの設置されている近傍においては、サクションマウスベルのリブが船底の鋼板に接触することによって、腐食防止のための塗装がはがれやすく、他の部位よりも腐食が進みやすい。さらに、サクションマウスベルによる給排水のため、この部分は流水にさらされ、水中の酸素や電解質により多く接触する。非特許文献１の防食方法では、このような局所的な腐食を防止するのに不十分である。
【０００６】
この発明は、船舶や海洋構造物のバラストタンク内でサクションマウスベル近傍の腐食を効果的に防止することができるバラストタンク腐食防止部材およびサクションマウスベルを提供することを目的とする。
【課題を解決するための手段】
【０００７】
上述の課題を解決するため、この発明のバラストタンク腐食防止部材は、給排水装置の先端部への取り付け部材と、陽極部材を有するものである。給排水装置の先端部への取り付け部材として、たとえば、給排水パイプへ取り付けるＵバンドやサクションベルマウスのフランジ部へ取り付ける接続部材などを使用することができる。また、サクションベルマウスのリブ先端に取り付ける絶縁部材を備えていても良い。陽極部材としては、たとえば亜鉛などが使用できる。
【０００８】
さらに、この発明のサクションベルマウスは、フランジ部に亜鉛製の陽極部材が設けられており、リブ先端に絶縁部材が設けられているものである。
【発明の効果】
【０００９】
この発明のバラストタンク腐食防止部材およびサクションベルマウスは、サクションマウスベル近傍の鋼板に効果的に防食電流を供給し、バラストタンクの腐食を防止できる効果を有する。バラストタンクへの設置が容易であり、陽極部材の交換も簡単に行える。
【発明を実施するための最良の形態】
【００１０】
この発明を実施するための最良の形態について、図面に基づいて説明する。図１はサクションベルマウスを含む給排水装置先端部を示す一部断面正面図、図２はＡ−Ａ断面図で第２バラストタンク腐食防止部材を示す断面図、図３はＢ−Ｂ断面図でUバンドの拡大断面図、図４は陽極部材取付け部材を示す正面図、図５は同正面図、図６はサクションベルマウス本体部を示す一部断面平面図、図７は同一部断面正面図、図８は絶縁部材を示す斜視図、図９はバラストタンクを示す正面図、図１０は同平面図である。
【００１１】
船舶のバラストタンク１には給排水装置としてサクションベルマウス２と給排水パイプ３が備えられている。サクションベルマウス２は給排水パイプ３によって給排水ポンプ４に接続されており、給排水口５より海水を取り入れたり、あるいは外部へ排出できるようになっている。
【００１２】
本例において、サクションベルマウス２はパイプ継手フランジ６とボルト７に接続されるタイプのものであるが、溶接によって給排水パイプ３に固定するタイプでもよい。
【００１３】
パイプ継手フランジ６には、第１バラストタンク腐食防止部材８がボルト７によって取り付けられている。第１バラストタンク腐食防止部材８は接続部材９と、この接続部材９に取り付けられた陽極部材１０を有する。接続部材９は折り曲げ部１１を有する板状の部材であり、例えばステンレス鋼を素材とする。ボルト７を通すためのボルト穴１２が設けられており、このボルト穴１２の両側には線状の突起部１３が設けられている。ボルト７はパイプ継手フランジ６の接続のためのものであり、この発明のためにあえて設けられたものではない。このボルト７をボルト穴１２に通して閉めることによって、第１バラストタンク腐食防止部材８がサクションベルマウス２に取り付けられる。ボルト穴１２の両側の突起部１３がパイプ継手フランジ６の下面に当接することによって、両者は電気的にも確実に接続される。
【００１４】
接続部材９には雄ねじが形成された陽極部材取付け部１３が設けられている。一方、陽極部材１０には陽極部材取付け部１３が通ることができる穴（図示省略）が設けられており、この穴に陽極部材取付け部１３を通し、陽極部材取付け部１３の先端部にナット（図示省略）を取り付けることによって、接続部材９と陽極部材１０  を着脱可能に連結する。ここで、接続部材９と陽極部材１０との間には絶縁ゴム１５が挿入されており、陽極部材取付け部１３以外の面での電気的な接触が遮断されている。したがって、接続部材９と陽極部材１０とは陽極部材取付け部１３を介してのみ電気的に接続されている。陽極部材１０としてはバラストタンク１の内壁を構成する鋼材よりも低電位の金属を素材とし、例えばアルミニウム、亜鉛、マグネシウム、あるいはこれらを含む合金などが使用できる。ここでは、亜鉛を素材としたものを使用している。
【００１５】
第２バラストタンク腐食防止部材１６は、給排水パイプ３の先端近傍に取り付けられるものである。第２バラストタンク腐食防止部材１６は、Uバンド１７と陽極部材１８を備えている。Uバンド１７の先端部にはナット２０を着脱できるねじ部２１が形成されている。また、給排水パイプ３との電気的な接触を確実にするための突起部２２が形成されている。陽極部材１８にはUバンド１７を通すための通し穴２３と、ナット２０が収容される袋孔２４が設けられている。
【００１６】
Uバンド１７を給排水パイプ３の先端近傍に位置させ、ナット２０によってUバンド１７と陽極部材１８を接続する。ここで、給排水パイプ３と陽極部材１８との間には絶縁ゴム２５が挿入されており、この部分での電気的な接触が遮断されている。したがって、給排水パイプ３と陽極部材１８とはUバンド１７およびその突起部２２を介してのみ電気的に接続されている。陽極部材１８の素材は、第１バラストタンク腐食防止部材８の陽極部材１０と同様である。
【００１７】
サクションベルマウス本体部２６には３箇所にリブ２７が設けられている。このリブ２７はサクションベルマウス本体部２６の口部より下に突出しており、サクションベルマウス本体部２６とバラストタンク１の底面との間に、海水の流れに必要な十分な距離が確保される。リブ２７の先端部には絶縁部材２８が取り付けられている。
【００１８】
つぎに、バラストタンク腐食防止部材６、１６およびサクションベルマウス２の作用について説明する。第１バラストタンク腐食防止部材８と第２バラストタンク腐食防止部材１６はどちらか一方のみを使用してもよく、両方を使用してもよい。低電位である陽極部材１０、１８より高電位であるバラストタンク内壁の鋼材へ向かって、電解液である海水中を電流が流れる。このとき、低電位の金属である陽極部材１０、１８は犠牲陽極としてイオンとなって消耗するが、高電位側の船底は防食状態となって安定する。特に、サクションベルマウス２に近い船底部に多くの防食電流が流れ込む。これによって、サクションベルマウス２に近い船底部の腐食が効果的に防止される。
【００１９】
サクションベルマウス２のリブ２７には絶縁部材２８が取り付けられているので、リブ２７とバラストタンク底面との間は電気的に絶縁される。バラストタンク底面が鋼材であるのに対しリブ２７の表面には亜鉛メッキがほどこされており、異種金属が接触すれば腐食しやすいが、絶縁部材２８によって異種金属同士の接触も防止される。また、絶縁部材２８の表面は滑らかに形成されており、バラストタンク底面に接触しても、表面の塗装を損傷しにくい。
【００２０】
以上、この発明のバラストタンク腐食防止部材８、１６およびサクションベルマウス２によって、サクションベルマウス２近傍の底面の腐食が防止される。そのため、バラストタンク底面の破孔による運行上の事故が防止され、補修による運行停止に伴う機会喪失や補修費用の発生も防止される。バラストタンク腐食防止部材８、１６の設置は極めて容易であり、従来の船舶や海洋構造物の構造を変更する必要がない。犠牲陽極として消耗する陽極部材１０、１８は、簡単に付け替えることができる。
【００２１】
以上、船舶のバラストタンクの例で説明したが、これ以外に海洋構造物のバラストタンクなどであっても、本発明を適用することができる。
【図面の簡単な説明】
【００２２】
【図１】給排水装置先端部を示す一部断面正面図である。
【図２】第２バラストタンク腐食防止部材を示す断面図である。
【図３】Uバンドの拡大断面図である。
【図４】陽極部材取付け部材を示す正面図である。
【図５】同正面図である。
【図６】サクションベルマウス本体部を示す一部断面平面図である。
【図７】同一部断面正面図である。
【図８】絶縁部材を示す斜視図である。
【図９】バラストタンクを示す正面図である。
【図１０】同平面図である。
【符号の説明】
【００２３】
１．バラストタンク
２．サクションベルマウス
３．給排水パイプ
６．パイプ継手フランジ
７．ボルト
８．第１バラストタンク腐食防止部材
９．接続部材
１０，１８．陽極部材
１６．第２バラストタンク腐食防止部材
１７．Uバンド
２６．サクションベルマウス本体部
２７．絶縁部材
【図１】
2007314027.tif 000003
【図２】
2007314027.tif 000004
【図３】
2007314027.tif 000005
【図４】
2007314027.tif 000006
【図５】
2007314027.tif 000007
【図６】
2007314027.tif 000008
【図７】
2007314027.tif 000009
【図８】
2007314027.tif 000010
【図９】
2007314027.tif 000011
【図１０】
2007314027.tif 000012